【手続補正書】
【提出日】平成27年7月13日(2015.7.13)
【手続補正１】
【補正対象書類名】明細書
【補正対象項目名】０００９
【補正方法】変更
【補正の内容】
【０００９】
上記目的を達成するため、本発明の観点に係る信号処理装置は、空間にパルス状の電磁波を放射したのち送受信を切り替えて、観測対象物から反射された電磁波を受信して、受信した電磁波のドップラ周波数から風速を測定するウィンドプロファイラにおける信号処理装置であって、受信信号のデータにフーリエ変換を施すフーリエ変換処理部と、フーリエ変換処理部でフーリエ変換された受信信号のデータからパワースペクトルを算出するとともに、複数の時刻で得られるパワースペクトルを、インコヒーレント積分時間だけ時間積分するインコヒーレント積分部と、送受信の切り替えでスイッチングノイズが発生するノイズ区間を、インコヒーレント積分部で時間積分した後のパワースペクトルからノイズ信号の有無を判定することにより検出して、受信信号を一定値に置き換える置換区間を設定する検出部と、ノイズ区間の受信信号を実質的に無効なデータに変換する信号抑制部と、を備える。信号抑制部は、検出部が設定した置換区間をもとに、置換区間の受信信号のデータを一定値に置き換える不要データ削除部、および、不要データ削除部で受信信号のデータを一定値に置き換えたことにより発生する、パワースペクトルのＤＣ成分を除去するＤＣ成分除去部、を含む。
【手続補正２】
【補正対象書類名】明細書
【補正対象項目名】００４０
【補正方法】変更
【補正の内容】
【００４０】
近距離判定部１２または遠距離判定部１３は、最大値と閾値と比較し最大値＞閾値の場合は（ステップＳＴ４；ＮＯ）、置換信号遅延ステップＳＴ５へ、最大値≦閾値の場合は（ステップＳＴ４；ＹＥＳ）、終了高度判定ステップＳＴ７へ進む。上述のとおり、近距離か遠距離かは、判定する高度で選択する。例えば、ある高度以下の場合は、近距離判定部１２が、それ以上の高度の場合は、遠距離判定部１３が判定する。近距離か遠距離かによって、最大値を判定する閾値、延長する時間ステップおよび基準のタイミング（近距離側置換信号と遠距離側置換信号の基準）を変える。
【手続補正３】
【補正対象書類名】明細書
【補正対象項目名】００４２
【補正方法】変更
【補正の内容】
【００４２】
一方、最大値≦閾値の場合（ステップＳＴ４；ＹＥＳ）、終了高度判定ステップＳＴ７において、閾値判定ステップの高度が終了高度まで達しているかどうか判定する（ＳＴ７）。判定の結果、終了高度までに達している場合（ステップＳＴ７；ＹＥＳ）は処理を終了し、終了高度までに達していない場合（ステップＳＴ７；ＮＯ）は高度更新ステップＳＴ８に進む。高度更新ステップＳＴ８では、処理対象となる高度を次の高度に更新した後、その高度のパワースペクトルの最大値算出（ステップＳＴ３）から繰り返す。
【手続補正４】
【補正対象書類名】特許請求の範囲
【補正対象項目名】全文
【補正方法】変更
【補正の内容】
【特許請求の範囲】
【請求項１】
空間にパルス状の電磁波を放射したのち送受信を切り替えて、観測対象物から反射された電磁波を受信して、受信した電磁波のドップラ周波数から風速を測定するウィンドプロファイラにおける信号処理装置であって、
受信信号のデータにフーリエ変換を施すフーリエ変換処理部と、
前記フーリエ変換処理部でフーリエ変換された受信信号のデータからパワースペクトルを算出するとともに、複数の時刻で得られるパワースペクトルを、インコヒーレント積分時間だけ時間積分するインコヒーレント積分部と、
前記送受信の切り替えでスイッチングノイズが発生するノイズ区間を、前記インコヒーレント積分部で時間積分した後のパワースペクトルからノイズ信号の有無を判定することにより検出して、前記受信信号を一定値に置き換える置換区間を設定する検出部と、
前記検出部が設定した置換区間をもとに、前記置換区間の前記受信信号のデータを一定値に置き換える不要データ削除部、および、前記不要データ削除部で受信信号のデータを前記一定値に置き換えたことにより発生する、前記パワースペクトルのＤＣ成分を除去するＤＣ成分除去部、を含み、前記ノイズ区間の受信信号を実質的に無効なデータに変換する信号抑制部と、
を備える信号処理装置。
【請求項２】
前記検出部は、１つの時間間隔においてノイズの有無を判定して、その後の時間間隔における前記置換区間を設定し、
前記信号抑制部は、前記検出部がノイズの有無を判定した時間間隔の後の時間間隔における前記置換区間の受信信号のデータを前記一定値に置き換える、
請求項１に記載の信号処理装置。
【請求項３】
前記検出部は、前記インコヒーレント積分した後のパワースペクトルの最大値を算出し、設定された判定範囲内で前記最大値と閾値とを比較した結果に応じて、所定のステップ時間を単位として前記置換区間を設定する、請求項１または２に記載の信号処理装置。
【請求項４】
前記検出部は、
前記ウィンドプロファイラが送信から受信に切り替わるタイミングの判定範囲内で、前記最大値が第１の閾値より大きい場合に、前記送信から受信に切り替わるタイミングの前記置換区間を、第１のステップ時間だけ後の時間に延長し、
前記ウィンドプロファイラが受信から送信に切り替わるタイミングの判定範囲内で、前記最大値が第２の閾値より大きい場合に、前記受信から送信に切り替わるタイミングの前記置換区間を、第２のステップ時間だけ前の時間に延長する、
請求項３に記載の信号処理装置。
【請求項５】
前記検出部は、前記置換区間の開始と終了を示す置換ゲート信号を生成し、
信号抑制部は、前記置換ゲート信号で指定される区間の受信信号のデータを前記一定値に置き換える、
請求項１から４までのいずれか１項に記載の信号処理装置。
【請求項６】
前記信号抑制部は、前記パワースペクトルのＤＣ成分に隣接するデータから内挿することによって前記ＤＣ成分を除去する、請求項１から５までのいずれか１項に記載の信号処理装置。
【請求項７】
空間にパルス状の電磁波を放射したのち送受信を切り替えて、観測対象物から反射された電磁波を受信して、受信した電磁波のドップラ周波数から風速を測定するウィンドプロファイラにおける信号処理装置であって、
前記送受信を切り替えるタイミング信号を取り込んで、前記タイミング信号から所定の長さの時間を、前記送受信の切り替えでスイッチングノイズが発生するノイズ区間として検出する検出部と、
前記ノイズ区間における前記受信信号を減衰させて、前記ノイズ区間の受信信号を実質的に無効なデータに変換する信号抑制部と、
を備える信号処理装置。
【請求項８】
空間にパルス状の電磁波を放射したのち送受信を切り替えて、観測対象物から反射された電磁波を受信して、受信した電磁波のドップラ周波数から風速を測定するウィンドプロファイラが行う信号処理方法であって、
受信信号のデータにフーリエ変換を施すフーリエ変換処理ステップと、
前記フーリエ変換処理ステップでフーリエ変換された受信信号のデータからパワースペクトルを算出するとともに、複数の時刻で得られるパワースペクトルを、インコヒーレント積分時間だけ時間積分するインコヒーレント積分ステップと、
前記送受信の切り替えでスイッチングノイズが発生するノイズ区間を、前記インコヒーレント積分ステップで時間積分した後のパワースペクトルからノイズ信号の有無を判定することにより検出して、前記受信信号を一定値に置き換える置換区間を設定する検出ステップと、
前記検出ステップで設定した置換区間をもとに、前記置換区間の前記受信信号のデータを一定値に置き換える不要データ削除ステップ、および、前記不要データ削除ステップで受信信号のデータを前記一定値に置き換えたことにより発生する、前記パワースペクトルのＤＣ成分を除去するＤＣ成分除去ステップ、を含み、前記ノイズ区間の受信信号を実質的に無効なデータに変換する信号抑制ステップと、
を備える信号処理方法。
【請求項９】
空間にパルス状の電磁波を放射したのち送受信を切り替えて、観測対象物から反射された電磁波を受信して、受信した電磁波のドップラ周波数から風速を測定するウィンドプロファイラが行う信号処理方法であって、
前記送受信を切り替えるタイミング信号を取り込んで、前記タイミング信号から所定の長さの時間を前記送受信の切り替えでスイッチングノイズが発生するノイズ区間として検出する検出ステップと、
前記ノイズ区間における前記受信信号を減衰させて、前記ノイズ区間の受信信号を実質的に無効なデータに変換する信号抑制ステップと、
を備える信号処理方法。 
【手続補正５】
【補正対象書類名】図面
【補正対象項目名】図５
【補正方法】変更
【補正の内容】
【図５】
2014035276.tif 000001
【手続補正６】
【補正対象書類名】図面
【補正対象項目名】図１３
【補正方法】変更
【補正の内容】
【図１３】
2014035276.tif 000002